(57)【要約】【課題】廃棄する時に環境問題を起こさず、しかもプラスチック製のものに劣らない卓上カレンダー立を提供すること。【解決手段】折畳み脚部を設けた脚板部１０と、脚板部１０の上辺側に連設した背板部２０と、脚板部１０の下辺側に幅板部４１を介して連設した枠板部３０と、枠板部３０の左右両サイドにそれぞれ幅板部４２，４３を介して連設された差込みフラップ４４，４５とを有する一枚の板紙からなる。背板部２０を脚板部１０の前方に折り曲げてから、その背板部２０の上に重なるように枠板部３０を折り曲げるとともに差込みフラップ４４，４５を脚板部１０と背板部２０の間に差し込むことにより、背板部２０と枠板部３０の間にカレンダー紙葉群の収納空間を形成する。【選択図】図１
2005161662.tif 000002
【特許請求の範囲】
【請求項１】
折畳み脚部を設けた脚板部と、脚板部の上辺側に連設した背板部と、脚板部の下辺側に幅板部を介して連設した枠板部と、枠板部の左右両サイドにそれぞれ幅板部を介して連設された差込みフラップとを有する一枚の板紙からなり、背板部を脚板部の前方に折り曲げてから、その背板部の上に重なるように枠板部を折り曲げるとともに差込みフラップを脚板部と背板部の間に差し込むことにより、背板部と枠板部の間にカレンダー紙葉群の収納空間を形成したことを特徴とする卓上カレンダー立。
【発明の詳細な説明】
【技術分野】
【０００１】
本発明は、机や家具などの上に載置して使用される卓上カレンダーの技術分野に属するものであり、詳しくは、卓上カレンダーを構成する卓上カレンダー立に関する。
【背景技術】
【０００２】
従来、卓上カレンダーとして、暦欄と絵柄等を印刷した複数枚のカレンダー紙葉とこれらを収納して保持するプラスチック製の卓上カレンダー立とからなるものが一般的に知られている。そして、このような卓上カレンダー立としては、ケース部材としてのプラスチックケースと一体に折畳み脚部を形成したものや、プラスチックケースに収納したカレンダー紙葉群の一番下の板紙を脚部材とし、これに折畳み脚部を設けたものなどがあり、使用時にはこの折畳み脚部を起こして立てるようになっている。
【特許文献１】実開平４−５０１４２号公報
【特許文献２】実開平４−１１６７２号公報
【発明の開示】
【発明が解決しようとする課題】
【０００３】
上記した従来の卓上カレンダー立は、そのケース部材にいずれも塩化ビニル等のプラスチックケースを使用している。したがって、使い終わって廃棄する時に環境問題の一因になるという問題があり、プレミアム等として顧客に頒布する際に、企業のイメージを損なうことにもなりかねない。そこで、板紙製のケース部材を用いることが考えられるが、製造コストや保持状態等の観点からプラスチック製のものに劣らないものは未だ見当たらないのが現状である。
【０００４】
本発明は、このような問題に鑑みてなされたものであり、その目的とするところは、廃棄する時に環境問題を起こさず、しかもプラスチック製のものに劣らない卓上カレンダー立を提供することにある。
【課題を解決するための手段】
【０００５】
上記の目的を達成するため、本発明に係る卓上カレンダー立は、折畳み脚部を設けた脚板部と、脚板部の上辺側に連設した背板部と、脚板部の下辺側に幅板部を介して連設した枠板部と、枠板部の左右両サイドにそれぞれ幅板部を介して連設された差込みフラップとを有する一枚の板紙からなり、背板部を脚板部の前方に折り曲げてから、その背板部の上に重なるように枠板部を折り曲げるとともに差込みフラップを脚板部と背板部の間に差し込むことにより、背板部と枠板部の間にカレンダー紙葉群の収納空間を形成したことを特徴としている。
【発明の効果】
【０００６】
本発明の卓上カレンダー立は、全体が紙製であるので、使用後に一般のゴミと一緒に廃棄しても環境問題を起こすことがなく、製品イメージがよい。また、各構成部分が繋がった一枚の板紙からなり、しかもこの一枚の板紙を折り曲げて差し込むだけで製造できるので、プラスチック製のものと比べてもコスト的に不利はない。また、脚板部の内側に背板部があり、カレンダー紙葉群はこの背板部と枠板部の間に収納されるので、全体が紙製とはいえ、カレンダー紙葉を差し替えた時にケース内部に引っ掛かるようなことがない。
【発明を実施するための最良の形態】
【０００７】
図１は本発明に係る卓上カレンダー立を構成するブランクを示す展開図、図２は図１のブランクを組み立てた状態の卓上カレンダー立を表側から見た状態で示す斜視図、図３は同じく裏側から見た状態で示す斜視図、図４は図２及び図３に示す卓上カレンダー立を使用状態で示す斜視図である。
【０００８】
図１のブランクＢは、板紙を打ち抜いて作製された一枚もので、折畳み脚部を設けた脚板部１０と、脚板部１０の上辺側に連設した背板部２０と、脚板部１０の下辺側に幅板部４１を介して連設した枠板部３０とを備え、さらに枠板部３０の左右両サイドにそれぞれ幅板部４２，４３を介して連設された差込みフラップ４４，４５とを有している。
【０００９】
脚板部１０は、カレンダー紙葉より僅かに大きなサイズで、左右両辺が僅かに内側に湾曲した略矩形状をしており、切込線ａとミシン目線ｂとにより台形状の脚片１１を区画するとともに、切込線ｃとミシン目線ｄとにより腕状をした一対の係合片１２を区画している。そして、脚片１１には各係合片１２を差し込むための縦長状をした２本の係止孔１１ａが各ミシン目線ｄの延長線上に対応する位置にそれぞれ設けられており、各係合片１２にはその先端に切欠１２ａが形成されている。なお、係合片１２の下側に隣接して形成された半円状の孔は、係合片１２を起こす際に指先を入れるための指掛け孔１３である。
【００１０】
背板部２０は、カレンダー紙葉と略同じサイズの矩形状で、脚板部１０との間には折曲げ線ｅとして押し罫が設けられている。また、折曲げ線ｅに近い所にこれと平行に曲げ線ｆとして比較的弱い押し罫が設けられている。
【００１１】
枠板部３０は、カレンダー紙葉より僅かに大きなサイズの矩形状で、カレンダー紙葉の暦欄が外から見えるように大きな開口３０ａが設けられている。枠板部３０の周囲３辺にある幅板部４１，４２，４３は、カレンダー紙葉群を収納する空間の厚みを確保するためのもので、脚板部１０との間にある幅板部４１は、差込みフラップ４４，４５との間にある幅板部４２，４３より僅かに広くなっている。これら幅板部４１，４２，４３の両側は、折曲げ線ｇとして押し罫が設けられている。
【００１２】
この図１に示すブランクＢを組み立てることにより卓上カレンダー立が得られる。その手順は次のようである。まず、背板部２０を脚板部１０の前方に折り曲げる。次に、折り曲げた背板部２０の上に重なるように枠板部３０を折り曲げるとともに、差込みフラップ４４，４５を脚板部１０と背板部２０の間に差し込む。この場合、背板部２０の曲げ線ｆのところを外側に折り曲げておくと差込みフラップ４４，４５を入れやすいが、この押し罫ｆは特に無くても構わない。これにより、ブランクＢが薄板状に組み立てられ、図２及び図３に示すように、上部に開口が形成されるとともに背板部２０と枠板部３０の間にカレンダー紙葉群の収納空間が形成される。そして、所定枚数のカレンダー紙葉群を上部の開口から挿入して卓上カレンダーとする。
【００１３】
使用時に際しては、図４に示すように、卓上カレンダーの裏側にある脚板部１０の折畳み脚部を起こした状態とし、机や家具などの上に載置する。すなわち、指掛け孔１３を利用して係合片１２を垂直方向に起こした状態とし、その状態で脚片１１を起こして係止孔１１ａに係合片１２が入るようにし、さらに脚片１１を曲げることで係止孔１１ａの先端に係合片１２の切欠１２ａを引っ掛ける。これにより係止孔１１ａと切欠１２ａが互いに噛み合い、脚片１１と係合片１２は簡単には外れない状態となる。
【００１４】
なお、本発明において、脚板部の折畳み脚部は、上記した形状のものに限定されないことはいうまでもない。
【図面の簡単な説明】
【００１５】
【図１】本発明に係る卓上カレンダー立を構成するブランクを示す展開図である。
【図２】図１のブランクを組み立てた状態の卓上カレンダー立を表側から見た状態で示す斜視図である。
【図３】図１のブランクを組み立てた状態の卓上カレンダー立を裏側から見た状態で示す斜視図である。
【図４】図２及び図３に示す卓上カレンダー立を使用状態で示す斜視図である。
【符号の説明】
【００１６】
Ｂ  ブランク
１０  脚板部
１１  脚片
１１ａ  係止孔
１２  係合片
１２ａ  切欠
１３  指掛け孔
２０  背板部
３０  枠板部
３０ａ  開口
３０ｂ  延設部
４１，４２，４３  幅板部
４４，４５  差込みフラップ
ａ，ｃ  切込線
ｂ，ｄ  ミシン目線
ｅ  折曲げ線
ｆ  曲げ線
ｇ  折曲げ線
【図１】
2005161662.tif 000003
【図２】
2005161662.tif 000004
【図３】
2005161662.tif 000005
【図４】
2005161662.tif 000006